(57)【要約】      （修正有）【課題】ファンユニットの交換作業性を向上させることができる構造の冷却装置を提供する。【解決手段】筐体に取り付けられる本体ケース１１と、本体ケース１１に収容される内気用ファン１６と、内気と外気とを熱交換させる熱交換手段とを備える冷却装置において、内気用ファン１６を本体ケース１１に固定するためのファンカバー４１に固定して、内気用ファンユニット４０を形成する。そして、ファンカバー４１にヒンジ部を設け、そのヒンジ部を本体ケース１１に引っ掛けた状態で、本体ケース１１の外側から内気ファンユニット４０を本体ケース１１にはめ込み、締結部材で固定した構成とする。さらに、内気ファンユニット４０の重心６２をヒンジ部４６よりも本体ケース内部側に相対的に位置させた構成とすることで、締結部材を外したときに、内気ファンユニット４０が傾斜して、コネクタ１９が本体ケース１１内から引き出されるようにする。【選択図】図１０
2008182107.tif 000002
【特許請求の範囲】
【請求項１】
筐体（２）に取り付けられ、前記筐体の内部空間と連通する内部空気流路（３１）および前記筐体の外部と連通する外部空気通路（３２）を形成する本体ケース（１１）と、
前記本体ケースに収容され、前記筐体の内部空気を前記内部空気通路に流通させる内気用ファン（１６）と、
前記本体ケースに収容され、内部空気よりも低温である前記筐体の外部空気を前記外部空気通路に流通させる外気用ファン（１７）と、
前記本体ケースに収容され、前記内部空気通路を流通する前記筐体の内部空気と、前記外部空気通路を流通する外部空気とを、直接もしくは間接的に熱交換させることで、内部空気を冷却する熱交換手段（１２、１３、１４、１５）とを備え、
前記内気用ファン（１６）と前記外気用ファン（１７）の少なくとも一方は、ファンを前記本体ケースに固定するためのファンカバー（４１）に固定されて、ファンユニット（４０）が構成されており、
前記ファンカバーには、前記ファンカバーを本体ケースに引っ掛けるためのヒンジ部（４６）が設けられており、
前記ファンユニットは、前記ヒンジ部を前記本体ケースに引っ掛けた状態で、前記本体ケースの外側から前記本体ケースにはめ込まれており、前記本体ケースの外側から締結部材（６１）によって前記本体ケースに固定されていることを特徴とする冷却装置。
【請求項２】
前記ファンユニットは、前記ヒンジ部を前記本体ケースに引っ掛けたときであって、前記ファンユニットおよび前記本体ケースから前記締結部材が外されている場合に、前記ファンユニットの一端側が前記本体ケースから離れて、前記ファンユニットが前記本体ケースに対して傾斜した状態となる機構を備えることを特徴とする請求項１に記載の冷却装置。
【請求項３】
前記ファンユニットは、前記本体ケースに取り付けた状態のとき、前記ファンユニットの重心（６２）と前記ヒンジ部（４６）との水平方向での相対的な位置関係において、前記ファンユニットの重心が前記ヒンジ部よりも本体ケース内部側に位置しており、
前記ファンユニットおよび前記本体ケースから前記締結部材が外されている場合に、前記ファンユニットが前記本体ケースに対して傾斜した状態となることを特徴とする請求項２に記載の冷却装置。
【請求項４】
前記ファンユニットは、前記本体ケースに取り付けた状態の場合に、前記ファンユニットの一端側を前記本体ケースから離れる方向に弾性力が作用する弾性部材を備えており、
前記ファンユニットおよび前記本体ケースから前記締結部材が外されている場合に、前記ファンユニットが前記本体ケースに対して傾斜した状態となることを特徴とする請求項２に記載の冷却装置。  
【請求項５】
前記本体ケース内には、前記内気用ファン（１６）と前記外気用ファン（１７）の稼動制御を行う制御手段（１８）が収納されており、
前記内気用ファン（１６）と前記外気用ファン（１７）の少なくとも一方は、コネクタ（１９）を介して、前記制御手段と電気的に接続されており、
前記コネクタは、前記締結部材により前記ファンユニットと前記本体ケースとが固定された状態では、前記本体ケース内に位置し、前記ファンユニットおよび前記本体ケースから前記締結部材が外されて、前記ファンユニットが前記本体ケースに対して傾斜した状態では、前記本体ケース外に位置するように、前記ファンユニットから前記コネクタまでの距離が設定されていることを特徴とする請求項２ないし４のいずれか１つに記載の冷却装置。
【発明の詳細な説明】
【技術分野】
【０００１】
本発明は、冷却装置に関するものであり、例えば、携帯電話通信網基地局の局舎内の空気温度を制御する冷却装置に適用可能なものである。
【背景技術】
【０００２】
従来の携帯電話基地局用冷却装置は、ファンカバーにファンが固定されたファンユニットを備えており（例えば、特許文献１、２参照）、このファンユニットは、冷却装置の本体ケースの内部に配置され、ネジ等の締結部材によって、本体ケースに固定されている（例えば、特許文献２参照）。
【特許文献１】特開２００４−１５０７２３号公報
【特許文献２】特開平１０−２６８７号公報（第６図）
【発明の開示】
【発明が解決しようとする課題】
【０００３】
携帯電話基地局用冷却装置は、例えば、２０年間等の長期間、運転させるものであるため、故障等が発生した場合に、部品を交換する必要がある。
【０００４】
しかし、上記したような従来の冷却装置では、ファンユニットは、本体ケース内部で締結部材によって固定されており、締結部材が外されると、ファンユニットが本体ケースから脱落してしまう構成であるため、ファンユニットを交換する際、本体ケース内に人が手を入れて、手でファンユニットを保持しながら、締結部材を取り付けたり、取り外したりする必要があった。
【０００５】
また、ファンの駆動用モータが、コネクタを介して、制御手段と電気的に接続されている場合では、ファンユニットを交換する際、このコネクタを外したり、接続させたりする必要があるが、上記した従来の冷却装置では、コネクタが本体ケース内に存在することとなるため、コネクタを外したり接続させたりする作業がしづらいという問題があった。
【０００６】
本発明は、上記点に鑑み、ファンユニットの交換作業性を向上させることができる構造の冷却装置を提供することを目的とする。
【課題を解決するための手段】
【０００７】
上記目的を達成するため、本発明は、内気用ファン（１６）と外気用ファン（１７）の少なくとも一方は、ファンを本体ケースに固定するためのファンカバー（４１）に固定されて、ファンユニット（４０）が構成されており、ファンカバーには、ファンカバーを本体ケースに引っ掛けるためのヒンジ部（４６）が設けられており、ファンユニットは、ヒンジ部を本体ケースに引っ掛けた状態で、本体ケースの外側から本体ケースにはめ込まれており、本体ケースの外側から締結部材（６１）によって本体ケースに固定されていることを第１の特徴とする。
【０００８】
このように、ファンカバーのヒンジ部を本体ケースに引っ掛けることで、ファンユニットを交換する際では、ファンユニットを手で保持しなくても、本体ケースとファンユニットとを固定する締結部材の取り付け、取り外しができ、ファンユニットの取り付け、取り外しが容易にできる。したがって、本発明によれば、ファンの交換作業性を向上させることができる。
【０００９】
また、本発明では、ファンユニットは、ヒンジ部を本体ケースに引っ掛けたときであって、ファンユニットおよび本体ケースから締結部材が外されている場合に、ファンユニットの一端側が本体ケースから離れて、ファンユニットが本体ケースに対して傾斜した状態となる機構を備えることを第２の特徴とする。
【００１０】
これにより、締結部材を外した場合に、ファンユニットを傾斜させることができ、ファンユニットの取り外しが容易となる。また、ファンユニットを傾斜させることで、本体ケースのファンユニットをはめ込むための開口部から手を入れることができるので、コネクタの接続および取り外し作業が容易となり、ファンユニットの交換作業性を向上させることができる。
【００１１】
第２の特徴の具体的な構成としては、例えば、ファンユニットは、本体ケースに取り付けた状態のとき、ファンユニットの重心（６２）とヒンジ部（４６）との水平方向での相対的な位置関係において、ファンユニットの重心をヒンジ部よりも本体ケース内部側に位置させるという構成を採用できる。また、例えば、ファンユニットは、本体ケースに取り付けた状態の場合に、ファンユニットの一端側を本体ケースから離れる方向に弾性力が作用する弾性部材を備える構成を採用できる。
【００１２】
また、本発明では、コネクタは、締結部材によりファンユニットと本体ケースとが固定された状態では、本体ケース内に位置し、ファンユニットおよび本体ケースから締結部材が外されて、ファンユニットが本体ケースに対して傾斜した状態では、本体ケース外に位置するように、ファンユニットからコネクタまでの距離が設定されていることを第３の特徴とする。
【００１３】
これにより、ファンユニットを交換する際において、コネクタの接続および取り外しを容易に行うことができ、ファンの交換作業性を向上できる。
【００１４】
なお、特許請求の範囲およびこの欄で記載した各手段の括弧内の符号は、後述する実施形態に記載の具体的手段との対応関係を示す一例である。
【発明を実施するための最良の形態】
【００１５】
（第１実施形態）
本実施形態では、通信機器などが納められている携帯電話基地局の局舎内を冷却する基地局用冷却装置に本発明を適用したものである。
【００１６】
まず、冷却装置全体の概略構成について説明する。図１（ａ）〜（ｄ）に、本発明の第１実施形態における冷却装置の全体構成を示す。また、図２に、冷却装置の局舎への設置状態を示す。なお、図１（ａ）は冷却装置を正面から見たときの内部構成を示す図であり、図１（ｂ）、（ｃ）は、それぞれ、図１（ａ）中の冷却装置を矢印Ａ、Ｂ方向で見たときの内部構成を示す図であり、図１（ｄ）は、冷却装置を上方から見たときの内気側熱交換器１２と外気側熱交換器１３の配置を示す図である。また、図１（ａ）〜（ｃ）、図２では、図の上下方向が、冷却装置の天地方向である。
【００１７】
図２に示すように、本実施形態の冷却装置１は、筐体としての局舎２の扉３に取り付けられるものである。局舎２は、扉３が閉められたとき、密閉状態となる。また、局舎２の内部には、アンテナ４を介して、携帯電話機５や最寄りの交換局等と通信を行うための通信機器６が収納されており、この通信機器６が作動することで、通信機器６が発熱し、局舎２の内気温度が上昇する。
【００１８】
本実施形態の冷却装置１は、沸騰式の冷却装置であり、図１（ａ）〜（ｃ）に示すように、本体ケース１１と、本体ケース１１の内部に収納される内気側熱交換器１２、外気側熱交換器１３、ガス配管１４、液配管１５、内気用ファン１６および外気用ファン１７とを主に備えている。
【００１９】
本体ケース１１は、図１（ａ）〜（ｄ）に示すように、直方体であり、図１（ａ）のように、本体ケース１１を正面から見て、前面２１と、前面２１の奥側に位置する背面２２と、前面２１の左側に位置する左側面２３と、前面２１の右側に位置する右側面２４と、前面２１の上側に位置する上面２５と、前面２１の下側に位置する下面２６とを有している。
【００２０】
また、この本体ケース１１は、図１（ａ）中の奥行き方向の幅、すなわち、前面２１と背面２２に垂直な方向の幅が、本体ケース１１の他の幅よりも小さくなっており、以下では、前面２１と背面２２に垂直な方向を、本体ケース１１の厚さ方向と呼ぶ。また、図１（ａ）中の前面２１に向かって左右の方向を、本体ケース１１の左右方向と呼ぶ。
【００２１】
本実施形態では、図１（ｄ）に示すように、本体ケース１１の横断面の形状は、本体ケース１１の厚さ方向での長さが、その厚さ方向に直交する本体ケース１１の左右方向での長さよりも短い形状となっている。なお、本体ケース１１の横断面とは、本体ケース１１の上下方向、すなわち、天地方向に垂直な方向での断面を意味する。
【００２２】
また、図２に示すように、本体ケース１１の背面２２が局舎２の内部に面し、前面２１が局舎２の外部に面するように、冷却装置１が局舎２の扉３に取り付けられるようになっている。すなわち、本体ケース１１の厚さ方向が、冷却装置１の局舎２に対する取り付け方向となっている。
【００２３】
また、図１（ａ）、（ｄ）に示すように、本体ケース１１の内部は、隔壁２７によって、本体ケース１１の左右方向で２つの領域に分けられている。この隔壁２７は、本体ケース１１の内部に沿った形状であり、略長方形の略平板である。隔壁２７は、鉛直方向に平行となるように、本体ケース１１の前面２１、背面２２、上面２５および下面２６に対して垂直に配置されている。
【００２４】
また、本実施形態では、本体ケース１１の内部空間のうち、図１（ａ）中の左側が内気側領域３１であり、局舎２の内気が流通する内気流路となり、図１（ａ）中の右側が外気側領域３２であり、局舎２の外気が流通する外気流路となる。
【００２５】
そして、図１（ａ）に示すように、内気側領域３１には、本体ケース１１の下側に内気側熱交換器１２が配置され、本体ケース１１の上側に内気用ファン１６が配置されている。一方、外気側領域３２には、本体ケース１１の上側に外気側熱交換器１３が配置され、本体ケース１１の下側に外気用ファン１７が配置されている。
【００２６】
また、図１（ｂ）、図２に示すように、本体ケース１１の背面２２のうち、内気用ファン１６に対向する位置と、内気側熱交換器１２に対向する位置とに、それぞれ、内気取り入れ口と、内気排出口となる開口部２２ａ、２２ｂが設けられている。
【００２７】
また、図１（ｃ）に示すように、本体ケース１１の前面２１のうち、外気用ファン１７に対向する位置と、外気側熱交換器１３に対向する位置とに、それぞれ、外気取り入れ口と、外気排出口となる開口部２１ａ、２１ｂが設けられている。
【００２８】
内気側熱交換器１２は、例えば、フィン−チューブ熱交換器であって、マルチフローパス型の熱交換器であり、図１（ｂ）に示すように、内気側領域３１に２つ配置されている。
【００２９】
外気側熱交換器１３は、内気側熱交換器１２と同様に、例えば、フィン−チューブ熱交換器であって、マルチフローパス型の熱交換器であり、図１（ｃ）に示すように、外気側領域３２に２つ設けられている。
【００３０】
また、内気側領域３１には、図１（ａ）、（ｂ）に示すように、２つのガス配管１４が配置されており、１つのガス配管１４は、１つの内気側熱交換器１２と、１つの外気側熱交換器１３とに接続されている。一方、外気側領域３２には、図１（ａ）、（ｃ）に示すように、２つの液配管１５が配置されており、１つの液配管１５は、１つの内気側熱交換器１２と１つの外気側熱交換器１３とに接続されている。これらのガス配管１４および液配管１５を介して、冷媒が内気側熱交換器１２と外気側熱交換器１３との間を循環するようになっている。
【００３１】
このように、本実施形態の冷却装置１は、内気側熱交換器１２、外気側熱交換器１３、ガス配管１４、液配管１５により、密閉された冷媒回路が形成されており、このような独立した冷媒回路を２系統持っている。
【００３２】
この冷媒回路において、内気側熱交換器１２では、フィンを介して、外気よりも高温である内気と、チューブ内の液相冷媒との間で、熱交換がされる。これにより、内気の熱量が液相冷媒に移動することで、液相冷媒が沸騰して気相冷媒となり、内気が冷却される。
【００３３】
一方、外気側熱交換器１３では、フィンを介して、内気よりも低温である外気と、チューブ内の気相冷媒との間で熱交換がされる。これにより、気相冷媒が凝縮して、液相冷媒となり、冷媒の熱が外気に放熱される。
【００３４】
このとき、外気側熱交換器１３は、内気側熱交換器１２よりも上側に配置されているので、気相冷媒と液相冷媒との密度差により、冷媒回路内の冷媒は、内気側熱交換器１２→ガス配管１４→外気側熱交換器１３→液配管１５→内気側熱交換器１２の順に、自然循環する。
【００３５】
このように、本実施形態の冷却装置１は、内気側熱交換器１２、外気側熱交換器１３での冷媒の熱交換サイクルを利用して、局舎２の内気を冷却するようになっており、これらの内気側熱交換器１２、外気側熱交換器１３、ガス配管１４および液配管１５が、内気と外気とを混合させることなく間接的に熱交換させる熱交換手段に相当する。
【００３６】
また、本実施形態では、内気用ファン１６として、軸流ファンを１つ用いており、図１（ｂ）、図２に示すように、内気が、本体ケース１１の上方に位置する内気取り入れ口２２ａから取り入れられ、内気側領域３１を上から下に向かって流れ、本体ケース１１の下方に位置する内気排出口２２ｂから排出されるようになっている。このため、局舎２の内気は、図２に示すように、冷却装置１の内部でＵターンするように、局舎２の内部を流れるようになっている。なお、内気用ファン１６は、後述するように、内気用ファンユニットとして、本体ケース１１に取り付けられている。
【００３７】
また、本実施形態では、外気用ファン１７として、２つの遠心ファンを用いており、図１（ｃ）に示すように、外気が、本体ケース１１の下方に位置する外気取り入れ口２１ａから取り入れられ、外気側領域３２を下から上に向かって流れ、本体ケース１１の上方に位置する外気排出口２１ｂから排出されるようになっている。このように、外気用ファン１７は、水平方向から吸入して、鉛直方向に吐出する空気流れを形成している。
【００３８】
また、冷却装置は、内気用ファン１６と外気用ファン１７の回転数を制御する制御基板１８を備えている。制御基板１８は、内気用ファン１６の駆動用モータにコネクタ１９を介して電気的に接続されており、外気用ファン１７の駆動用モータもコネクタを介して電気的に接続されている。
【００３９】
次に、内気ファンユニットの詳細を説明する。図３、４、５にそれぞれ、内気ファンユニットの正面図、背面図、側面図を示す。
【００４０】
図３〜５に示すように、内気ファンユニット４０は、１つのファン１６と、ファンカバー４１と、ファン１６をファンカバー４１に固定するためのブラケット４２とを備えている。
【００４１】
ファンカバー４１は、主として、ファン１６を本体ケースに固定するためのアタッチメントとして機能するものである。ファンカバー４１は、例えば、図５に示すように、最前（図５中の右側）に位置し、内気ファンユニット４０が本体ケース１１に取り付けられた状態のときに本体ケース１１の背面２２の一部となる前面部４１ａと、前面部４１ａよりも後側（図５中の左側）に位置し、内気取り入れ口を構成する開口部２２ａが設けられた主壁面部４１ｂと、前面部４１ａおよび主壁面部４１ｂの端部に連なる側面部４１ｃとを有する形状である。
【００４２】
そして、図３、４に示すように、ファンカバー４１の前面部４１ａの外周部には、本体ケース１１の背面２２に固定するためのねじ穴４３が、例えば６カ所設けられている。
【００４３】
ブラケット４２は、例えば、図４、５に示すように、その一端側がファン１６の背面側にねじ４４で固定され、他端側がファンカバー４１にねじ４５で固定されている。
【００４４】
また、ファンカバー４１の上部２カ所に、ヒンジ部４６が設けられている。ここで、図６に図５中のヒンジ部４６の拡大図を示す。
【００４５】
ヒンジ部４６は、内気ファンユニット４０を本体ケース１１に引っ掛けるための爪部、すなわち、係止部材であり、後述するように、内気ファンユニット４０が傾斜した場合に、本体ケース１１から外れないように、先端側４６ａが曲がっている。また、ヒンジ部４６は、図５に示すように、前面部４１ａの延長線上に位置している。
【００４６】
また、図５に示すように、内気ファンユニット４０は、ファン駆動用モータの駆動を制御する制御部４７を有しており、この制御部４７がコネクタ１９を介して、図１中の制御基板１８と電気的に接続される。なお、コネクタ１９は、ファン側コネクタ１９ａと、制御基板側コネクタ１９ｂとから構成される。
【００４７】
図７に、内気ファンユニットが取り付けられる前の状態での本体ケースの部分外観斜視図を示す。  
【００４８】
図７に示すように、本体ケース１１には、内気ファンユニット４０がはめ込まれる開口部５１が設けられている。この開口部５１は、内気ファンユニット４０の前面部４１ａ（図３参照）よりも一回り小さい大きさであり、本体ケース１１の開口部５１の周辺部には、内気ファンユニット４０のねじ穴４３に対応する位置に、内気ファンユニット４０を本体ケース１１に固定するためのねじ穴５２が設けられている。
【００４９】
また、本体ケース１１の上面２５には、内気ファンユニット４０のヒンジ部４６の受け部を構成する２つの穴部５３が設けられている。
【００５０】
図８、９に、それぞれ、内気ファンユニット４０が取り付けられている状態の本体ケースの部分外観斜視図、本体ケースの側面側から見たときの透視図を示す。
【００５１】
図８に示すように、内気ファンユニット４０は、ヒンジ部４６が本体ケース１１の穴部５３に挿入され、ヒンジ部４６を本体ケース１１に引っ掛けた状態で、本体ケース１１の外側から本体ケース１１の開口部５１にはめ込まれており、本体ケース１１の外側から、ねじ６１によって本体ケース１１に固定される。
【００５２】
このように、内気ファンユニット４０を本体ケース１１に取り付けた状態では、本体ケース１１の外側からはめ込まれて、内気ファンユニット４０の外周部が、本体ケース１１よりも外側に位置して、本体ケース１１の開口部５１の周縁部に重なっており、内気ファンユニット４０の外周部および本体ケース１１の開口部５１の周縁部に設けられたねじ穴４３、５２に、ねじ６１が取り付けられている。すなわち、本実施形態では、内気ファンカバー４０の本体ケース１１への固定箇所が本体ケース１１の外側に位置している。
【００５３】
ここで、図１０に、内気ファンユニット４０のヒンジ部４６を本体ケース１１に引っ掛けた状態であって、ねじ６１を外した状態のときにおける本体ケース１１を側面側から見たときの透視図を示す。
【００５４】
本実施形態では、図９に示すように、内気ファンユニット４０を本体ケース１１に取り付けた状態のとき、内気ファンユニット４０は、例えば、図９中の×印で示すように、内気ファンユニット４０の前面部４１ａよりも後側に重心が位置しており、内気ファンユニット４０全体の重心６２と、ヒンジ部４６との水平方向での相対的な位置関係（重心６２とヒンジ部４６とを水平線に投射したときの位置関係）において、内気ファンユニット４０全体の重心６２がヒンジ部４６よりも本体ケース内部側に位置している。すなわち、本実施形態では、ヒンジ部４６の位置と内気ファンユニット４０の重心が鉛直方向で並んでいない。  
【００５５】
このため、図１０に示すように、ヒンジ部４６を本体ケース１１に引っ掛けたときであって、ファンカバー４１および本体ケース１１からねじ６１が外されている場合では、内気ファンユニット４０の重心６２がヒンジ部４６の真下に位置するように、内気ファンユニット４０の一端側、すなわち、ヒンジ部４６の反対側である下端側が、本体ケース１１から離れて、内気ファンユニット４０が本体ケース１１に対して傾斜した状態となる。
【００５６】
そして、この状態のときに、コネクタ１９が本体ケース１１の内部から引っ張り出されて、本体ケース１１外に位置するように、ファンカバー４１からコネクタ１９までの距離が設定されている。例えば、ファンカバー４１からコネクタ１９までの距離を、内気ファンユニット４０が傾斜しているときのファンカバー４１の下端部と本体ケース１１との距離の１／２程度とする。
【００５７】
次に、内気ファンユニット４０の交換作業について説明する。
【００５８】
内気ファンユニット４０が本体ケース１１に取り付けられている状態（図８参照）から内気ファンユニット４０を取り外すときでは、内気ファンユニット４０を本体ケース１１に固定しているねじ６１を外す。
【００５９】
このとき、内気ファンユニット４０のヒンジ部４６が本体ケース１１に引っ掛かっているので、内気ファンユニット４０を手で押させる必要がない。
【００６０】
そして、ねじ６１を外した後、コネクタ１９（ファン側コネクタ１９ａと制御基板側コネクタ１９ｂ）を外して、内気ファンユニット４０を本体ケース１１から取り外す。
【００６１】
このとき、図１０に示すように、ねじ６１を外すと、内気ファンユニット４０が傾斜し、本体ケース１１内からコネクタ１９が引き出された状態となるので、このコネクタ１９を容易に外すことができる。また、内気ファンユニット４０が傾斜した状態となるので、内気ファンユニット４０が手で持ちやすくなり、内気ファンユニット４０の取り外しが容易となる。
【００６２】
一方、本体ケース１１に内気ファンユニット４０を取り付ける際では、図１０に示すように、本体ケース１１の上面２５に設けられた２つの穴部５３に、内気ファンユニット４０のヒンジ部４６を引っ掛けて、本体ケース１１の開口部５１に内気ファンユニット４０の上側部分を入れた状態とする。そして、コネクタ１９を接続した後、内気ファンユニット４０の下側部分を本体ケース１１に押し込み、本体ケース１１の外側からねじ６１を取り付ける。このようにして、本体ケース１１の開口部５１に内気ファンユニット４０を外側からはめ込み、固定する。
【００６３】
このとき、本体ケース１１に内気ファンユニット４０のヒンジ部４６を引っ掛ければよいので、本体ケース１１に内気ファンユニット４０を容易に設置できる。また、本体ケース１１にヒンジ部４６を引っ掛けたとき、内気ファンユニット４０が傾斜した状態となるので、コネクタ１９の接続作業が容易となる。
【００６４】
（他の実施形態）
（１）第１実施形態では、ヒンジ部４６を本体ケース１１に引っ掛けたときであって、ファンカバー４１および本体ケース１１からねじ６１が外されている場合に、内気ファンユニット４０が本体ケース１１に対して傾斜した状態となる機構として、内気ファンユニット４０全体の重心６２がヒンジ部４６よりも本体ケース１１側に位置するという内気ファンユニット４０の重心６２とヒンジ部４６の水平方向での相対的な位置関係を有する構成を採用していたが、他の機構を採用しても良い。
【００６５】
例えば、ファンユニット４０と本体ケース１１との間にばね等の弾性部材を設け、図８に示すように、内気ファンユニット４０を本体ケース１１に取り付けた状態の場合に、ファンカバー４１の下端側に対して、本体ケース１１から離れる方向に弾性力が作用するように、ファンユニット４０を本体ケース１１に押し込んだ状態で、ねじ６１で固定する。
【００６６】
これにより、ファンカバー４１および本体ケース１１からねじ６１を外した場合に、内気ファンユニット４０が本体ケース１１に対して傾斜した状態となるようにしてもよい。
【００６７】
（２）第１実施形態では、図６に示すように、ヒンジ部４６の形状を先端部４６ａが曲がっている形状としていたが、ヒンジ部４６の形状は図６に示す形状に限られず、内気ファンユニット４０が傾斜した場合に、内気ファンユニット４０が本体ケース１１から外れないようにできれば、ヒンジ部４６を他の形状としても良い。
【００６８】
（３）第１実施形態では、ヒンジ部４６の位置を前面部４１ａの延長線上に配置していたが、内気ファンユニット４０の重心６２とヒンジ部４６の水平方向での相対的な位置関係が、内気ファンユニット４０の重心６２がヒンジ部４６よりも本体ケース１１側に位置するという関係であれば、ヒンジ部４６の位置を他の位置に変更しても良い。同様に、内気ファンユニット４０の重心６２の位置を変更しても良い。
【００６９】
また、第１実施形態では、ヒンジ部４６をファンカバー４１の上部に設けていたが、ファンカバー４１を本体ケース１１に保持できれば、ヒンジ部４６をファンカバー４１の下部等の他の位置に配置しても良い。
【００７０】
（４）第１実施形態では、内気ファンユニット４０と本体ケース１１を固定する締結部材として、ねじ６１を用いていたが、例えば、クリップ等の留具を用いても良い。
【００７１】
（５）第１実施形態では、内気ファンユニット４０が傾斜した状態のとき、本体ケース１１内からコネクタ１９が引き出されるようになっていたが、第１実施形態よりも制御部４７とコネクタ１９の距離を長くして、コネクタ１９が本体ケース１１内に位置するように変更しても良い。すなわち、必ずしも、コネクタ１９が本体ケース１１外に引き出される構成でなくても良い。  
【００７２】
この場合、内気ファンユニット４０が傾斜した状態のとき、本体ケース１１の開口部５１からコネクタ１９を引っ張り出すことができるので、このようにしても、従来と比較して、コネクタ１９の接続および取り外しが容易となり、第１実施形態と同様の効果が得られる。ただし、この場合では、配線を無用に長くしてしまうため、第１実施形態の方が好ましい。
【００７３】
（６）第１実施形態では、内気用ファン１６として、軸流ファンを用いていたが、遠心ファンを用いても良い。また、第１実施形態では、内気用ファン１６のみに対して、本発明を適用していたが、外気用ファン１７のみ、もしくは、内気用ファン１６と外気用ファン１７の両方に本発明を適用しても良い。すなわち、本発明は、内気用ファン１６と外気用ファン１７の少なくとも一方に適用可能である。
【００７４】
（７）上記した各実施形態では、冷却装置の本体ケースとして、その内部に内気側領域３１と外気側領域３２とが本体ケース１１の左右方向に並べられた構造の本体ケース１１を用いていたが、内気側領域３１と外気側領域３２との配置が本実施形態と異なる本体ケースを用いても良い。例えば、特許文献１に記載されているように、本体ケースの内部を、隔壁によって、主に、上半分側と下半分側の領域に分け、さらに、上半分側の領域を、本体ケースの厚さ方向で２つの領域に分け、外気が本体ケース内の上半分側を流れる構成の本体ケースを用いても良い。
【００７５】
（８）上記した各実施形態では、内気側熱交換器１２、外気側熱交換器１３、ガス配管１４および液配管１５を備える沸騰式の冷却装置を用いる場合を例として説明したが、内気側熱交換器１２、外気側熱交換器１３、ガス配管１４および液配管１５の本構成にコンプレッサ、膨張弁を追加することで冷凍サイクルと同等の構成となることから、冷凍サイクルによる冷却方式を採用した基地局用冷却装置にも本発明を適用することもできる。
【００７６】
（９）上記した各実施形態では、内気側熱交換器１２、外気側熱交換器１３、ガス配管１４および液配管１５を備える沸騰式の冷却装置、すなわち、内気と外気とを熱交換させる熱交換手段として、冷媒を介して、内気と外気とを混合させることなく間接的に熱交換させる熱交換器を用いる場合を例として説明したが、例えば、Ａｉｒ−ｔｏ−Ａｉｒ方式の冷媒を介さずに内気と外気とを直接的に熱交換させる熱交換器を用いた冷却装置に対して、本発明を適用することもできる。
【００７７】
（１０）冷却装置の用途は、携帯電話基地局の冷却に限られず、他の用途に用いることも可能である。ただし、携帯電話基地局用冷却装置は、ファンの取り替えニーズがあるため、本発明は、携帯電話基地局用冷却装置に適用した場合に、特に有効である。
【００７８】
（１１）上記した実施形態を、実施可能な範囲で、任意に組み合わせても良い。
【図面の簡単な説明】
【００７９】
【図１】本発明の第１実施形態における冷却装置の全体構成を示す図であり、（ａ）は冷却装置の正面透視図であり、（ｂ）、（ｃ）は（ａ）中の冷却装置の側面透視図であり、（ｄ）は（ａ）中の冷却装置の上面透視図である。
【図２】図１中の冷却装置の局舎への設置状態を示す図である。
【図３】図１中の冷却装置に用いられている内気用ファンユニット４０の正面図である。
【図４】図１中の冷却装置に用いられている内気用ファンユニット４０の背面図である。
【図５】図１中の冷却装置に用いられている内気用ファンユニット４０の側面図である。
【図６】図５中の内気用ファンユニット４０の部分拡大図である。
【図７】図１中の冷却装置において、内気ファンユニット４０が取り付けられる前の状態における本体ケース１１の部分外観斜視図である。
【図８】図１中の冷却装置において、内気ファンユニット４０が取り付けられている状態における本体ケース１１の部分外観斜視図である。
【図９】図１中の冷却装置において、内気ファンユニット４０が取り付けられている状態における本体ケース１１を側面側から見たときの本体ケース１１の透視図である。
【図１０】図１中の冷却装置において、内気ファンユニット４０のヒンジ部４６を本体ケース１１に引っ掛けた状態であって、ねじ６１を外した状態のときに、本体ケース１１を側面側から見たときの本体ケース１１の透視図である。
【符号の説明】
【００８０】
１…冷却装置、１１…本体ケース、１２…内気側熱交換器、１３…外気側熱交換器、
１４…ガス配管、１５…液配管、１６…内気用ファン、１７…外気用ファン、
４０…内気用ファンユニット、４１…ファンカバー、４２…ブラケット、４６…ヒンジ部。
【図１】
2008182107.tif 000003
【図２】
2008182107.tif 000004
【図３】
2008182107.tif 000005
【図４】
2008182107.tif 000006
【図５】
2008182107.tif 000007
【図６】
2008182107.tif 000008
【図７】
2008182107.tif 000009
【図８】
2008182107.tif 000010
【図９】
2008182107.tif 000011
【図１０】
2008182107.tif 000012